(57)【特許請求の範囲】
【請求項１】
一点支え杖を利用時諸条件で複数点支えの安全杖に変えるため、接地面に対し複数点で支えることのできるように、所定の角度間隔で配置される複数の脚部が取り付けられる基盤を杖のシャフト先端に着脱自在可能とする取り付け手段が、杖のシャフト先端パイプ内に挿入するため基盤に設ける中心穴と同心円で基盤面上に直立で所定の外径寸法で一体構成されるインナ・パイプと、基盤の取り付け方向位置決めのため杖のシャフト先端パイプ端部に設けられる切り欠き部と、これと組み合う基盤上のインナ・パイプ基部の両端に設けられる突起部と、杖のシャフト先端部のパイプ内に挿入された基盤のインナ・パイプを固定するため、基盤の中心穴からインナ・パイプ内を通し回動自在とするハンドル付きボルトと、このインナ・パイプ内の上端位置で該ボルトと組み合い、杖のシャフト先端パイプ内でインナ・パイプの上部口径部を若干広げるためのテーパ・ナットと、から成ることを特徴とする杖用の複数点支持具着脱装置。
【発明の詳細な説明】
【０００１】
【産業上の利用分野】
本発明は、一点支持の杖を複数点支持の安全杖に変えることのできる、杖用の複数点支持具着脱装置に関するものである。
【０００２】
【従来の技術】
一点支えの一般的な杖に比べ、複数点支えのものは歩行が不安定又は不自由な人向きの杖として安全性が高いことから、安全杖として広く実用に供されている。
【０００３】
また、複数点支えの杖（安全杖）は、接地の複数支持脚部分がそれぞれの仕様で杖と一体構成されていることから、傷害の症状又は使用時諸条件に応じ、改めて杖サイズを選択することで、安定して体が支えられる安全杖として使用に供されている。
【０００４】
このため、一点支えの一般的な杖と複数点支え仕様の安全杖とはその構造機能面で大きく区別して提供されていることから、例えば、使い慣れたグリップと体にあった長さを有する一点支えの杖を使用時諸条件で、複数点支え仕様の安全杖機能に変えるということは不可能で、改めて複数点支え機能の新しい安全杖を求めなければならないという問題点があった。
【０００５】
【発明が解決しようとする課題】
解決しようとする問題点は、一点支え仕様の杖を使用時諸条件に応じ、直ちに複数点支え仕様の安全杖機能に変換できない点である。
【０００６】
【課題を解決するための手段】
本発明は、一点支え仕様の杖に複数点支え仕様の安全杖機能を付加するため、接地面に対し複数点で支えることのできるように、一点支え仕様の杖のシャフト先端部に挿入可能で所定位置に固定装着可能とするインナ・パイプを所定の角度間隔で配置される複数の脚部が取り付けられる基盤面上に直立で一体構成し、歩行時における使用諸条件に関わらず安全にして確実に装着脱自在を可能とすることを最も主要な特徴とする。
これにより、使用者が使用時の歩行諸条件に応じ、使い慣れた一点支え仕様の杖を随意所望とする複数点支え仕様の安全杖に変えるという目的を、最小の部品点数で安全性を損なわずに実現した。
【０００７】
【実施例１】
図１〜４は複数点支えを三点支え仕様とする従来方法における１実施例を示す説明図で、図５〜９は複数点支えを三点支え仕様とする本発明装置の１実施例における説明図である。
【０００８】
なお、従来方法における１実施例の図１〜４については、図面のみの提示でこれに関わる説明は省略し、本発明装置の図５〜９について図面に基づき詳細に説明する。
【０００９】
図５〜９において、基盤４は金属材からなる剛性の略長方形で、接地面に対し三点で支えることができるように長手方向の一方側寄りで三方向の所定位置に配置し、接地部に滑り止め用の先端ゴム５’を装着する支え用の脚部５が取り付けられている。
なお、該基盤４の中央位置に後述のシャフト８を回動自在にするための中心穴４’が設けられている。
【００１０】
杖のシャフト１１の先端部に設けるパイプ１１’の内径寸法と大差のない所定の外径寸法を有することで該パイプ１１’内にがたつくことなく挿入可能とする弾性の金属材からなる若干長さ寸法のインナ・パイプ６が、基盤４の中心穴４’と同心円で該基盤４面上に直立で一体構成されている。
その上端部分には若干寸法のスリット部分を構成し、基盤４の取り付け方向位置決めのため杖のシャフト１１先端部のパイプ１１’先端に形成する後述の切欠き部１２と組み合うための突起部７を、該基盤４の長手方向でインナ・パイプ６の基部の両端位置に設けている。
【００１１】
シャフト８は、基盤４の中心穴４’に回動自在であるが軸方向の抜け出しを防止されて回転用のハンドル８’を該基盤４の下側に設けて取り付けられ、インナ・パイプ６内において形成される所定長さ寸法のおねじ８”部分の若干寸法を、該インナ・パイプ６の上端部から突出させている。
【００１２】
おねじ８”と組み合うテーパ・ナット９は、パイプ１１’内を摺動自在でテーパ部分の若干寸法がインナ・パイプ６上端のスリット部分内に入れられている。
ハンドル８’の所定方向に回転によりテーパ・ナット９はインナ・パイプ６方向に移動し、テーパ部分で該インナ・パイプ６のスリット部分の上端口径部を広げるようになっている。
なお、テーパ・ナット９のテーパ外周部分には所定の滑り止め加工により該テーパ・ナット９がおねじ８”付きシャフト８と共に空転してしまうなどのトラブルがないようになされている。
この場合、インナ・パイプ６の外径寸法はパイプ１１’内径寸法と大差がない構造上から、スリット部分の上端口径部を若干広げれることでパイプ１１’内での所定の固定が得られるようになされ、ハンドル８’を介しテーパ・ナット９のテーパ部分をインナ・パイプ６のスリット部分内から若干外側へ移動させることでインナ・パイプ６の口径寸法は直ちに復元し、該基盤４の脱着操作に支障がないように設定がなされている。
【００１３】
杖のシャフト１１は、先端部のパイプ１１’端部両端にグリップ１３の長手方向と同方向の切欠き部１２を形成し、前述の基盤４面上でインナ・パイプ６基部に設けられる突起部７と組み合わせることで、杖の使用における所定方向の位置決め固定ができるようになされている。
【００１４】
これにより、杖のシャフト１１先端の石突きゴムを取り外し、その先端部パイプ１１’内に本発明装置のインナ・パイプ６を挿入してパイプ１１’端部の切欠き部１２を基盤４上の突起部７と組み合わせ、該基盤４下側のハンドル８’を所定方向に回転操作し、パイプ１１’内でインナ・パイプ６の口径を広げ固定装着することで、一点支え機能の杖を歩行時の使用諸条件に応じより安全な三点支え機能に変えることができるものである。
【００１５】
【発明の効果】
以上説明した本発明の杖用の複数点支持具着脱装置について、次に記載する効果を奏する。
【００１６】
請求項１の杖用の複数点支持具着脱装置は、一点支え機能の一般的な杖を使用諸条件に応じ、直ちにより安全な複数点支え機能の杖に変えるための取り付け装置として、杖のシャフト先端のパイプ内に挿入するためのインナ・パイプを基盤上に一体構成し、該基盤の所定方向位置決めとインナ・パイプの口径を広げることで安全に固定装着可能とする機能とを備え、取り付け操作も簡単かつ容易であるとしたことは、使用時歩行諸条件において、利便性と共に安全杖としての機能性と安全性が極めて大きい。
【図面の簡単な説明】
【図１】  従来方法における１実施例で、取付け部１の構成を示す部分断面図の説明図である。
【図２】  図１を基盤４に装着した取り付け状態を示す説明図である。
【図３】  図２の平面図である。
【図４】  図２を杖のシャフト１１に装着した使用状態を示す外観図である。
【図５】  本発明装置における１実施例で、基盤４面上中心位置に直立で一体構成されたインナ・パイプ６及び突起部７と、テーパ・ナット９と組み合うおねじ部８”付きでハンドル８’を備えるシャフト８などの構成を示す部分断面図である。
【図６】  図５の平面図である。
【図７】  図５を杖のシャフト１１先端のパイプ１１’内に装着した使用状態を示す部分断面図である。
【図８】  杖のシャフト１１先端のパイプ１１’端部に形成された切欠き部１２の状態を示す平面図である。
【図９】  図７の全体斜視図である。
【符号の説明】
１  取付け部
１’  縦穴
２  台座
３  取付けボルト
３’  ナット
３”、１０  平座金
４  基盤
４’  中心穴
５  脚部
５’  先端ゴム
６  インナ・パイプ
７  突起部
８  、１１  シャフト
８’  ハンドル
８”  おねじ
９  テーパ・ナット
１１’  パイプ
１２  切欠き部
１３  グリップ
【図１】
0003822297.tif 000002
【図２】
0003822297.tif 000003
【図３】
0003822297.tif 000004
【図４】
0003822297.tif 000005
【図５】
0003822297.tif 000006
【図６】
0003822297.tif 000007
【図７】
0003822297.tif 000008
【図８】
0003822297.tif 000009
【図９】
0003822297.tif 000010